(57)【要約】【課題】従来の折り畳み式サイドレールの保持機構では、解除操作レバーを不意に操作しやすく、これを防ぐために二重にロックをしておくと自動保持動作が行えないという課題がある。【解決手段】本発明では平行リンク機構式の折り畳み式サイドレールにおいて、保持機構４は上部横桟部材１ｕの端部に設けて、支柱部材を連結する機構支持部材５に構成し、これにストッパーピン１２を進退可能に設け、ばね１３の付勢により前進方向に付勢すると共に、支柱部材に、その起立姿勢においてストッパーピンが嵌合可能となる嵌合孔１０を設け、更に機構支持部材には、ストッパーピンに設けた操作部位１５に係合してストッパーピンを後退させる解除操作レバー６を設け、この解除操作レバーと操作部位の間に遊び機構を構成し、また機構支持部材には、解除操作レバーの解除操作方向への移動を規制する解除防止機構を設けた折り畳み式サイドレールにおける保持機構を提案する。【選択図】図１０
2008194448.tif 000002
【特許請求の範囲】
【請求項１】
上部横桟部材と下部横桟部材間に、複数の支柱部材を平行リンク機構を構成するように回動可能に連結し、上記支柱部材を起立姿勢で保持する保持機構を設けた折り畳み式サイドレールにおいて、上記保持機構は、上記上部横桟部材の端部に設けて、上記支柱部材を連結する機構支持部材に構成し、上記機構支持部材に、ストッパーピンを進退可能に設け、ばねの付勢により前進方向に付勢すると共に、上記支柱部材に、その起立姿勢において上記ストッパーピンが嵌合可能となる嵌合孔を設け、更に上記機構支持部材には、上記ストッパーピンに設けた操作部位に係合して、上記ストッパーピンを上記ばねの付勢に抗して後退させる解除操作レバーを設け、この解除操作レバーと上記操作部位の間に遊び機構を構成し、更に機構支持部材には、解除操作レバーの解除操作方向への移動を規制する解除防止機構を設けたことを特徴とする折り畳み式サイドレールにおける保持機構。
【請求項２】
遊び機構が、操作部位に設けた長孔と、解除操作レバーに設けて、上記長孔に係合するピンとから構成されることを特徴とする請求項１に記載の折り畳み式サイドレールにおける保持機構。
【請求項３】
遊び機構が、操作部位に設け、横方向が開口した凹部と、解除操作レバーに設けて、上記凹部に係合するピンとから構成されることを特徴とする請求項１に記載の折り畳み式サイドレールにおける保持機構。
【請求項４】
解除防止機構が、解除操作レバーの上方への移動方向を解除操作方向とし、機構支持部材の上部に、上記解除操作レバーの上面に当接する当接部を設けたロック部材を移動操作可能に設けると共に、上記解除操作レバーの上面に、当接部が当接しない凹部を形成した構成であることを特徴とする請求項１に記載の折り畳み式サイドレールにおける保持機構。
【請求項５】
凹部が、段状に形成されていることを特徴とする請求項４に記載の折り畳み式サイドレールにおける保持機構。
【請求項６】
ロック部材が、解除防止機構の動作方向にばねにより付勢されていることを特徴とする請求項４又は５に記載の折り畳み式サイドレールにおける保持機構。
【請求項７】
機構支持部材は、機構要素を覆うカバーとして構成すると共に、解除操作レバーの操作個所の一部に対応して閉開口部を形成したことを特徴とする請求項１に記載の折り畳み式サイドレールにおける保持機構
【発明の詳細な説明】
【技術分野】
【０００１】
本発明は、ベッド用の折り畳み式サイドレール、特に、上部横桟部材と下部横桟部材間に、複数の支柱部材を平行リンク機構を構成するように回動可能に連結した構成の折り畳み式サイドレールにおいて、上記支柱部材を起立姿勢で保持する保持機構に関するものである。
【背景技術】
【０００２】
ベッドのサイドレールとしては各種のものが従来から提供されているが、このうち、上部横桟部材と下部横桟部材間に、複数の支柱部材を平行リンク機構を構成するように回動可能に連結し、上記支柱部材を起立姿勢で保持する保持機構を設けた折り畳み式サイドレールの従来技術としては、例えば特許文献１に記載されるものがある。
【０００３】
上記特許文献１に示される折り畳み式サイドレールでは、保持機構は、上記上部横桟部材の端部に設けて、上記支柱部材を連結する機構支持部材に構成し、上記機構支持部材には、ばねで前進方向に付勢したストッパーピンを設けると共に、上記支柱部材には、その起立姿勢において上記ストッパーピンが嵌合可能となる嵌合孔を設け、そしてストッパーピンの後部には、ばねの付勢に抗して後退させる解除操作部位を直接に設けており、この解除操作部位は、下辺が機構支持部材の下辺から下方に露出している。そして更に、機構支持部材には、解除操作部位の操作の阻止位置と、阻止しない位置との間に移動可能なロック部材を設けている。
【０００４】
以上の構成においては、支柱部材を起立姿勢として、ストッパーピンの先端を嵌合孔に嵌合することにより、サイドレールは、上部横桟部材が最も高い位置に保持されて使用状態となる。この際、嵌合孔へのストッパーピンの嵌合動作が、横桟部材を持ち上げて支柱部材が起立姿勢になった時点で、自動的に行われるようにするために、嵌合孔の近傍には、ストッパーピンが摺動する傾斜面が形成されている。
【０００５】
ストッパーピンが嵌合孔に嵌合した状態においてロック部材を、上記阻止位置に移動しておくことにより、機構支持部材の下辺から下方に露出している解除操作部位に不意に触れて操作方向の力が加わってしまったとしても、解除操作部位はロック部材に移動が阻止されて動かず、従ってストッパーピンの先端の嵌合孔への嵌合状態が維持されるため、支柱部材、そして横桟部材は使用状態に維持されて安全である。
【特許文献１】特許第３０２９０２６号公報
【発明の開示】
【発明が解決しようとする課題】
【０００６】
以上に説明した従来の折り畳み式サイドレールでは、次のような欠点があった。
１．ストッパーピンの解除操作部位は、機構支持部材の下辺から下方に露出しているため、ロック部材を阻止位置に移動していない場合において、不意に触れて操作方向の力が加わると、ストッパーピンが嵌合孔から外れてしまい、支柱部材が倒れると共に上部横桟部材が落下して危険である。
２．支柱部材が倒れ、上部横桟部材が最下降位置にある格納状態において、ロック部材を阻止位置に移動させてしまうと、横桟部材を持ち上げて支柱部材が起立姿勢になろうとすると、ストッパーピンが突出状態で保持されてしまうため、支柱部材と干渉してしまう。従って、嵌合孔へのストッパーピンの嵌合動作を自動的に行うことができなくなってしまう。
本発明は、このような課題を解決することを目的とするものである。
【課題を解決するための手段】
【０００７】
上述した課題を解決するために、本発明では、上部横桟部材と下部横桟部材間に、複数の支柱部材を平行リンク機構を構成するように回動可能に連結し、上記支柱部材を起立姿勢で保持する保持機構を設けた折り畳み式サイドレールにおいて、上記保持機構は、上記上部横桟部材の端部に設けて、上記支柱部材を連結する機構支持部材に構成し、上記機構支持部材に、ストッパーピンを進退可能に設け、ばねの付勢により前進方向に付勢すると共に、上記支柱部材に、その起立姿勢において上記ストッパーピンが嵌合可能となる嵌合孔を設け、更に上記機構支持部材には、上記ストッパーピンに設けた操作部位に係合して、上記ストッパーピンを上記ばねの付勢に抗して後退させる解除操作レバーを設け、この解除操作レバーと上記操作部位の間に遊び機構を構成し、また機構支持部材には、解除操作レバーの解除操作方向への移動を規制する解除防止機構を設けた折り畳み式サイドレールにおける保持機構を提案する。
【０００８】
また本発明では、上記構成において、遊び機構が、操作部位に設けた長孔と、解除操作レバーに設けて、上記長孔に係合するピンとから構成されることを提案する。
【０００９】
また本発明では、上記構成において、遊び機構が、操作部位に設け、横方向が開口した凹部と、解除操作レバーに設けて、上記凹部に係合するピンとから構成されることを提案する。
【００１０】
そして本発明では、上記解除防止機構が、解除操作レバーの上方への移動方向を解除操作方向とし、機構支持部材の上部に、上記解除操作レバーの上面に当接する突部を設けたロック部材を移動操作可能に設けると共に、上記解除操作レバーの上面に、突部が当接しない凹部を形成した構成とすることを提案する。この場合、凹部は、段状の構成とすることができる。
【００１１】
また本発明では、上記解除防止機構において、ロック部材を解除防止機構の動作方向にばねにより付勢することを提案する。
【００１２】
更に本発明では、上記構成において、機構支持部材は、機構要素を覆うカバーとして構成すると共に、解除操作レバーの操作個所の一部に対応して閉開口部を形成することを提案する。
【発明の効果】
【００１３】
本発明の折り畳み式サイドレールでは、支柱部材を起立姿勢で保持する保持機構において、解除操作レバーと上記操作部位の間に遊び機構を構成しているので、解除操作レバーの解除操作方向への移動を規制する解除防止機構を動作させた状態においても、横桟部材を持ち上げて支柱部材が起立姿勢になった時点で、嵌合孔へのストッパーピンの嵌合動作が自動的に行われる。
【００１４】
解除操作レバーは、機構支持部材の閉開口部に露出している操作個所を操作する構成であり、即ち、操作個所は、閉開口部に囲まれているので、不意の誤操作を防止することができる。
【００１５】
解除防止機構を構成するロック部材は、動作方向と非動作方向の双方向に手動操作する構成とすることもできるし、動作方向にはばねの付勢により移動し、ばねの付勢に抗して非動作方向に手動操作する構成とすることができる。後者の場合には、解除防止機構の動作方向の操作忘れを防止することができ、安全性を高くすることができる。
【発明を実施するための最良の形態】
【００１６】
次に本発明の折り畳み式サイドレールにおける保持機構の実施の形態を添付図面を参照して説明する。
まず図１〜図１２は本発明の第１の実施の形態を示すものである。
即ち、図１は本発明を適用した折り畳み式サイドレールの全体構成の一例を示すもので、符号１ｕは上部横桟部材、１ｄは下部横桟部材であり、これらの上部横桟部材１ｕと下部横桟部材１ｄ間に、複数の支柱部材２、この場合６本の支柱部材２を、平行リンク機構を構成するように回動可能に連結している。
【００１７】
符号３は下部横桟部材１ｄの下方に突設した取付棒体であり、この取付棒体３をベッドのフレームの上面に形成した嵌合孔に嵌合することにより、サイドレールをベッドの側部に取り付ける構成としている。
【００１８】
符号４は本発明に係る保持機構を概括的に示すもので、５は上部横桟部材１ｕの端部、この場合、左端部に設けた機構支持部材である。機構支持部材５は、後述する機構要素を覆うカバーとして構成しており、中間部には後記解除操作レバー６の操作部位６ｄが露出する閉空間部７が形成されている。
【００１９】
図２〜図４は、この実施の形態における保持機構の外観を示すもので、図３は図２の状態から解除操作レバーを操作した状態を示すものである。また図５〜図１０は保持機構４の詳細を示すものであり、また図１１、図１２は要部を拡大して示すものである。次に、これらの図を参照して本発明の保持機構４の第１の実施の形態を詳細に説明する。
【００２０】
図に示すように、支柱部材２、この場合、図１の左端の支柱部材２は、機構支持部材５に回動支点８において回動可能に連結されている。そして支柱部材２に設けられた部材９に嵌合孔１０が形成されており、部材９には嵌合孔１０の横側に傾斜部１１が形成されている。
【００２１】
一方、機構支持部材５には、支柱部材２が起立姿勢の時の嵌合孔１０の位置に対応して、ストッパーピン１２が、進退可能、この場合には上下動可能に支持されており、このストッパーピン１２は圧縮コイルばね等のばね１３により、前進方向、即ち図中下方に付勢されている。尚、ストッパーピン１２は図に示すように、先端に突出させた細径部を上記嵌合孔１０に嵌合させる構成としている。そして符号１４はストッパーピン１２を進退可能に支持する筒状体である。そして、ストッパーピン１２の後部、この場合、上部には、操作部位１５が形成されており、この操作部位１５には上下方向の長孔１６が形成されている。
【００２２】
一方、機構支持部材５には、解除操作レバー６が回動支点１７により回動可能に支持されており、この解除操作レバー６の下側部分６ｄが操作部位として上記閉開口部７に露出している。
【００２３】
また解除操作レバー６の上側部分は、上方に突出していて、右側の突部１８の左側に凹部１９が形成されている。
【００２４】
更に解除操作レバー６の左端側には、ピン２０が設けられていて、このピン２０は上記ストッパーピン１２の操作部位１５の長孔１６に係合している。
【００２５】
更に機構支持部材５の上部には、それに図中左右方向に形成された長孔２１によりロック部材２２が図中左右方向に移動可能に設けられており、その下側には解除操作レバー６の突部１８に当接可能な突部２３が形成され、また上側には操作用の突部２４が形成されている。また機構支持部材５の下面には、ロック部材２２の移動の左右側において保持するための突部２５が左右側に形成され、これらに対応する凹部２６がロック部材２２に形成されている。
【００２６】
以上の構成において、図５では支柱部材２が起立姿勢で、ストッパーピン１２の先端がばね１３の付勢により嵌合孔１０に嵌合しており、従って支柱部材２は、機構支持部材５、従って上部横桟部材１ｕに対して支点８の回りの回動が不能に保持され、従ってサイドレールは支柱部材２が起立状態で、上部横桟部材１ｕが最上位置に保持される。また、図５では、ロック部材２２は、図１１の状態に維持されており、従って解除操作レバー６は、操作が可能な状態である。
【００２７】
そこで、図６に示すように、ロック部材２２を右方向に移動して図６、図１２の状態に至らせると、解除操作レバー６の操作部位６ｄを上方に押しても、解除操作レバー６の突部１８がロック部材２２の突部２３に当接するため、解除操作レバー６は全く操作が不能である。
【００２８】
こうしてこの実施の形態では、解除操作レバー６の操作部位６ｄが、カバー状の機構支持部材５に形成した閉開口部７に囲まれているため不意な操作がし難いということに加えて、不意な操作が行われようとしてもロック部材２２により沮止されるため、二重に安全である。
【００２９】
そこでサイドレールを格納状態、即ち、支柱部材２を回動下降して上部横桟部材１ｕを下降させる場合には、ロック部材２２を図中左方向に移動して、図５、図１１の解除状態にした後、閉開口部７内に露出している操作部位６ｄを手により上方に押すと、解除操作レバー６は支点１７の回りに図中反時計回りに回動する。この回動によりピン２０が上方に移動し、このピン２０が長孔１６の上端を動かすので、操作部位１５によりストッパーピン１２はばね１３の付勢に抗して上方に移動する。こうして、図７に示されるようにストッパーピン１２の先端が後退して嵌合孔１０から外れる。
【００３０】
この状態において支柱部材２は、図８から図９のように回動し、従って上部横桟部材１ｕを平行リンク機構により平行に下降させることができる。
【００３１】
逆に下降状態の上部横桟部材１ｕを上昇させ、図９から図８の状態に至った後に、更に上部横桟部材１ｕを上昇させ、即ち図８において支柱部材２が相対的に更に時計回りに回動すると、図１０に示されるように、部材９の傾斜部１１がストッパーピン１２を後退させ、次いでストッパーピン１２が嵌合孔１０に対応した時点で、ばね１３の付勢により嵌合孔１０内に嵌合して、自動的に図５に示される嵌合状態とすることができる。
【００３２】
図１０からも明らかなように、本発明では、解除操作レバー６とストッパーピン１２との間に遊び機構、この場合、操作部位１５に設けた長孔１６と解除操作レバー６に設けたピン２０による遊び機構が設けられているので、ストッパーピン１２、そして、その操作部位１５は、解除操作レバー６に外力を与えずに運動が可能である。
【００３３】
このため図８の状態において、仮にロック部材２２が図６、図１２の位置にもたらされていた場合においても、ストッパーピン１２は図１０の状態と同様に嵌合孔１０から後退可能であり、従って図１０と同様に、部材９の傾斜部１１がストッパーピン１２を後退させ、次いでストッパーピン１２が嵌合孔１０に対応した時点で、ばね１３の付勢により嵌合孔１０内に嵌合して、自動的に図５に示される嵌合状態とすることができる。
【００３４】
こうして本発明では、支柱部材２が起立状態で保持されている状態から、下げる際に解除操作レバー６を操作する時以外は、ロック部材２２によるロックを作動状態にしておくことができ、安全性を高めることができる。
【００３５】
尚、上述した第１の実施の形態では、操作部位１５に設けた長孔１６と解除操作レバー６に設けたピン２０による遊び機構を示しているが、この他、次に示す第２の実施の形態に示すように、適宜の遊び機構を適用できるものである。
【００３６】
図１３〜図１５は、本発明に係る折り畳み式サイドレールにおける保持機構の第２の実施の形態を示すものである。この実施の形態は、上記遊び機構と解除防止機構のみが第１の実施の形態と異なるものであるから、対応する構成要素には同一の符号を付すものとする。
【００３７】
図１３〜図１５に示すように、支柱部材２は、機構支持部材５に回動支点８において回動可能に連結されている。そして支柱部材２に設けられた部材９に嵌合孔１０が形成されており、部材９には嵌合孔１０の横側に傾斜部１１が形成されている。
【００３８】
機構支持部材５には、支柱部材２が起立姿勢の時の嵌合孔１０の位置に対応して、ストッパーピン１２が、進退可能、この場合には上下動可能に支持されており、このストッパーピン１２は圧縮コイルばね等のばね１３により、前進方向、即ち図中下方に付勢されている。第１の実施の形態と同様にストッパーピン１２は図に示すように、先端に突出させた細径部を上記嵌合孔１０に嵌合させる構成としている。符号１４はストッパーピン１２を進退可能に支持する筒状体であり、ストッパーピン１２の後部、この場合、上部には、操作部位１５が形成されており、この操作部位１５には横方向が開口した凹部２７が形成されている。
【００３９】
機構支持部材５には、解除操作レバー６が回動支点１７の回りに回動可能に支持されており、この解除操作レバー６の下側部分６ｄが操作部位として、機構支持部材１１に設けられた閉開口部７に露出している。
【００４０】
また解除操作レバー６の上側部分は左右方向に段状に形成されていて、左側が凸側、右側が凹側１９として形成されている。
【００４１】
解除操作レバー６の左端側には、ピン２０が設けられていて、このピン２０は上記ストッパーピン１２の操作部位１５の凹部２７に係合している。尚、符号３１は案内部材である。
【００４２】
また機構支持部材５には、解除操作レバー６の上側部分の上側にロック部材２２が図中左右方向に移動可能に支持されると共に、ロック部材２２の上側には操作用突部２９が設けられていて、この操作用突部２９は機構支持部材５の上部に設けた左右方向の長孔２１を介して機構支持部材５の外側に突出しており、こうしてロック部材２２は左右方向に移動可能で、操作用突部２９により移動操作が可能に構成されている。
【００４３】
そしてこの実施の形態では、ロック部材２２は圧縮コイルばね等のばね３０により、左方向に付勢している。またロック部材２２の先端下側には解除操作レバー６の上側部分に当接する突部２８が形成されている。
【００４４】
以上の構成において、図１３では支柱部材２が起立姿勢で、ストッパーピン１２の先端がばね１３の付勢により嵌合孔１０に嵌合しており、従って支柱部材２は、機構支持部材５、従って上部横桟部材１ｕに対して支点８の回りの回動が不能に保持され、従ってサイドレールは支柱部材２が起立状態で、上部横桟部材１ｕが最上位置に保持される。
【００４５】
この際、ロック部材２２はばね３０の付勢により左側に移動して、解除操作レバー６の上側部分の凸側に当接しており、この状態では解除操作レバー６の操作部位６ｄを上方に押しても、解除操作レバー６の上側部分がロック部材２２の突部２８に当接するため、解除操作レバー６は全く操作が不能である。
【００４６】
こうしてこの実施の形態では、解除操作レバー６の操作部位６ｄが、カバー状の機構支持部材５に形成した閉開口部７に囲まれているため不意な操作がし難いということに加えて、不意な操作が行われようとしてもロック部材２２により沮止されるため、二重に安全である。
【００４７】
尚、この実施の形態のように凹部１９が段状の構成の場合には、ロック部材２２の突部２８は省略が可能であり、また突部２８により、凹部１９は段状でなく、左右側が凸側の構成とすることもできる。
【００４８】
次に、サイドレールを格納状態、即ち、支柱部材２を回動下降して上部横桟部材１ｕを下降させる場合には、まず、操作用突部２９を操作してロック部材２２をばね３０の付勢に抗して図１４に示すように図中右方向に移動する。
【００４９】
次いで、この状態で、閉開口部７内に露出している操作部位６ｄを手により上方に押すと、解除操作レバー６は支点１７の回りに図中反時計回りに回動する。この回動によりピン２０が上方に移動し、このピン２０が凹部２７の上端を動かすので、操作部位１５によりストッパーピン１２はばね１３の付勢に抗して上方に移動する。こうして、図１５に示されるようにストッパーピン１２の先端が後退して嵌合孔１０から外れ、この状態において支柱部材２は、図１５の２点鎖線で示すように回動し、従って上部横桟部材１ｕを平行リンク機構により平行に下降させることができる。
【００５０】
次いで、解除操作レバー６を操作せずに、下降状態の上部横桟部材１ｕを上昇させ、図１５において支柱部材２が相対的に２点鎖線の状態から実線の状態に時計回りに回動すると、第１の実施の形態と同様に、部材９の傾斜部１１がストッパーピン１２を後退させ、次いでストッパーピン１２が嵌合孔１０に対応した時点で、ばね１３の付勢により嵌合孔１０内に嵌合して、自動的に図１３に示される嵌合状態とすることができる。
【００５１】
即ち、解除操作レバー６とストッパーピン１２との間に遊び機構、この場合、操作部位１５に設けた凹部２７と解除操作レバー６に設けたピン２０による遊び機構が設けられているので、ストッパーピン１２そして、その操作部位１５は、解除操作レバー６に外力を与えずに運動が可能であるため、ロック部材２２がばね３０の付勢により上述した解除防止機構の動作側に移動していても、全く支障なく図１３の状態にもたらすことができる。
【００５２】
こうしてこの実施の形態では、支柱部材２が起立状態で保持されている状態から、下げる際に解除操作レバー６を操作する時以外は、ロック部材２２によるロックが自動的に作動状態になるので、安全性を非常に高めることができる。
【００５３】
ここで、以上の説明では、第１の実施の形態の解除防止機構ではロック部材は、動作方向と非動作方向の双方向に手動操作する構成で、また第２の実施の形態の解除防止機構では、動作方向にはばねの付勢により移動し、ばねの付勢に抗して非動作方向に手動操作する構成としているが、これらを逆に、第１の実施の形態の解除防止機構におけるロック部材をばねにより付勢したり、第２の実施の形態の解除防止機構におけるロック部材を付勢するばねを無くした構成とすることもできる。
【産業上の利用可能性】
【００５４】
本発明の折り畳み式サイドレールにおける保持機構は以上の通りであるので、次の特徴がある。
１．解除操作レバーの解除操作方向への移動を規制する解除防止機構を動作させた状態においても、横桟部材を持ち上げて支柱部材が起立姿勢になった時点で、嵌合孔へのストッパーピンの嵌合動作が自動的に行われる。
２．解除操作レバーは、機構支持部材の閉開口部に露出している操作個所を操作する構成であり、即ち、操作個所は、閉開口部に囲まれているので、不意の誤操作を防止することができる。
３．解除防止機構の動作をばねにより自動的に行うように構成することにより、安全性を更に高めることができる。
【００５５】
本発明に係る折り畳み式サイドレールは、ベッドの側部の部分的な空間を占める部分柵形式としたり、全体を占める前面柵形式として利用することができ、それらをベッドのフレームに取り付ける方法も適宜の方法を利用することができる。
【図面の簡単な説明】
【００５６】
【図１】本発明の保持機構を適用した折り畳み式サイドレールの全体構成の一例を示す説明図である。
【図２】本発明に係る保持機構の第１の実施の形態の外観を示す説明図である。
【図３】本発明に係る保持機構の第１の実施の形態の外観を別の局面で示す説明図である。
【図４】本発明に係る保持機構の第１の実施の形態の外観を更に別の局面で示す説明図である。
【図５】本発明に係る保持機構の第１の実施の形態の詳細を示す説明図である。
【図６】本発明に係る保持機構の第１の実施の形態の詳細を別の局面で示す説明図である。
【図７】本発明に係る保持機構の第１の実施の形態の詳細を更に別の局面で示す説明図である。
【図８】本発明に係る保持機構の第１の実施の形態の詳細を更に別の局面で示す説明図である。
【図９】本発明に係る保持機構の第１の実施の形態の詳細を更に別の局面で示す説明図である。
【図１０】本発明に係る保持機構の第１の実施の形態の詳細を更に別の局面で示す説明図である。
【図１１】本発明に係る保持機構の第１の実施の形態のロック機構の詳細を示す説明図である。
【図１２】本発明に係る保持機構の第１の実施の形態のロック機構の詳細を別の局面で示す説明図である。
【図１３】本発明に係る保持機構の第１の実施の形態の詳細を示す説明図である。
【図１４】本発明に係る保持機構の第１の実施の形態の詳細を別の局面で示す説明図である。
【図１５】本発明に係る保持機構の第１の実施の形態の詳細を更に別の局面で示す説明図である。
【符号の説明】
【００５７】
１ｕ          上部横桟部材
１ｄ          下部横桟部材
２            支柱部材
３            取付棒体
４            保持機構
５            機構支持部材
６            解除操作レバー
６ｄ          下側部分（操作部位）
７            閉開口部
８            回動支点
９            部材
１０          嵌合孔
１１          傾斜部
１２          ストッパーピン
１３          ばね（圧縮コイルばね）
１４          筒状体
１５          操作部位
１６          長孔
１７          回動支点
１８          突部
１９          凹部
２０          ピン
２１          長孔
２２          ロック部材
２３          突部
２４          突部
２５          突部
２６          凹部
２７          凹部
２８          突部
２９          突部
３０          ばね（圧縮コイルばね）
３１          案内部材
【図１】
2008194448.tif 000003
【図２】
2008194448.tif 000004
【図３】
2008194448.tif 000005
【図４】
2008194448.tif 000006
【図５】
2008194448.tif 000007
【図６】
2008194448.tif 000008
【図７】
2008194448.tif 000009
【図８】
2008194448.tif 000010
【図９】
2008194448.tif 000011
【図１０】
2008194448.tif 000012
【図１１】
2008194448.tif 000013
【図１２】
2008194448.tif 000014
【図１３】
2008194448.tif 000015
【図１４】
2008194448.tif 000016
【図１５】
2008194448.tif 000017